【誤訳訂正書】
【提出日】平成27年2月26日(2015.2.26)
【誤訳訂正１】
【訂正対象書類名】特許請求の範囲
【訂正対象項目名】全文
【訂正方法】変更
【訂正の内容】
【特許請求の範囲】
【請求項１】
熱移動組成物であって、（ａ）約３５重量％から約５５重量％のＨＦＣ−１３４ａと；（ｂ）約３０重量％から約６０重量％のＨＦＯ−１２３４ｚｅと、ここで前記ＨＦＯ−１２３４ｚｅはトランスＨＦＯ−１２３４ｚｅからなる；（ｃ）約０重量％から約３０重量％のＨＦＯ−１２３４ｙｆと；から本質的になる冷媒を含み、前記組成物中のＨＦＯ−１２３４ｚｅおよびＨＦＯ−１２３４ｙｆの合計の量が少なくとも約３５重量％であり、前記組成物の総ＧＷＰがＨＦＣ−１３４ａのＧＷＰが１４３０であるとき約７００以下であり、前記組成物がANSI/ASHRI Addendaを含むASHRAE Standard 34-2007により決定されるクラスＡ１組成物であり、前記重量パーセントは前記組成物の成分（ａ）−（ｃ）の合計に基づく、組成物。
【請求項２】
請求項１に記載の熱移動組成物であって、（ａ）約３５重量％から約５５重量％のＨＦＣ−１３４ａと；（ｂ）約３０重量％から約６０重量％のＨＦＯ−１２３４ｚｅと；（ｃ）約５重量％から約３０重量％のＨＦＯ−１２３４ｙｆと；を含み、前記重量パーセントは、前記組成物の成分（ａ）−（ｃ）の合計に基づく、組成物。
【請求項３】
請求項１に記載の熱移動組成物であって、（ａ）約３５重量％から約５０重量％のＨＦＣ−１３４ａと；（ｂ）約３０重量％から約５５重量％のＨＦＯ−１２３４ｚｅと；（ｃ）約５重量％から約２５重量％のＨＦＯ−１２３４ｙｆと；を含み、前記重量パーセントは、前記組成物の成分（ａ）−（ｃ）の合計に基づく、組成物。
【請求項４】
請求項１に記載の熱移動組成物であって、（ａ）約４０重量％から約４５重量％のＨＦＣ−１３４ａと；（ｂ）約３５重量％から約５０重量％のＨＦＯ−１２３４ｚｅと；（ｃ）約１０重量％から約２０重量％のＨＦＯ−１２３４ｙｆと；を含み、前記重量パーセントは、前記組成物の成分（ａ）−（ｃ）の合計に基づく、組成物。
【請求項５】
請求項１に記載の熱移動組成物であって、（ａ）約４２重量％のＨＦＣ−１３４ａと；（ｂ）約４０重量％のＨＦＯ−１２３４ｚｅと；（ｃ）約１８重量％のＨＦＯ−１２３４ｙｆと；を含み、前記重量パーセントは、前記組成物の成分（ａ）−（ｃ）の合計に基づく、組成物。
【請求項６】
請求項１に記載の熱移動組成物を含む冷却システム。
【請求項７】
請求項６に記載の冷却システムであって、定置空気調整器、自動車用空気調整器、家庭用冷蔵庫／冷凍庫、チラー、熱ポンプ、および自動販売機からなる群から選択されるユニット内にある、冷却システム。
【請求項８】
請求項１に記載の熱移動組成物を含む小型冷却システム。
【請求項９】
請求項８に記載の小型冷却システムであって、吸引ライン、液体ライン熱交換器を含む、小型冷却システム。
【請求項１０】
請求項１に記載の熱移動組成物であって、さらに、約５重量％までのＨＦＣＯ−１２３３ｚｄを含む、組成物。
【請求項１１】
熱移動システム内に収容される現存する熱移動流体を交換する方法であって、
前記現存する熱移動流体の少なくとも一部を前記システムから取り除くステップ、ここで、前記現存する熱移動流体はＨＦＣ−１３４ａを含み、及び、
（ａ）約３５重量％から約５５重量％のＨＦＣ−１３４ａと；（ｂ）約３０重量％から約６０重量％のＨＦＯ−１２３４ｚｅと、ここで前記ＨＦＯ−１２３４ｚｅはトランスＨＦＯ−１２３４ｚｅからなる；（ｃ）約０重量％から約３０重量％のＨＦＯ−１２３４ｙｆと；から本質的になる冷媒を含む熱移動組成物を前記システム内に導入することで、前記現存する熱移動流体の少なくとも一部を交換するステップ
を含み、
前記組成物中のＨＦＯ−１２３４ｚｅおよびＨＦＯ−１２３４ｙｆの合計の量が少なくとも約３５重量％であり、前記組成物の総ＧＷＰがＨＦＣ−１３４ａのＧＷＰが１４３０であるとき約７００以下であり、
前記組成物がANSI/ASHRI Addendaを含むASHRAE Standard 34-2007により決定されるクラスＡ１組成物であり、
前記重量パーセントは前記組成物の成分（ａ）−（ｃ）の合計に基づく、
方法。
【請求項１２】
請求項１１に記載の方法であって、前記熱移動組成物は（ａ）約３５重量％から約５５重量％のＨＦＣ−１３４ａと；（ｂ）約３０重量％から約６０重量％のＨＦＯ−１２３４ｚｅと；（ｃ）約５重量％から約３０重量％のＨＦＯ−１２３４ｙｆと；を含み、前記重量パーセントは、前記組成物の成分（ａ）−（ｃ）の合計に基づく、方法。
【請求項１３】
請求項１１に記載の方法であって、前記熱移動システムが、定置空気調整器、自動車用空気調整器、家庭用冷蔵庫／冷凍庫、チラー、および自動販売機からなる群から選択される１つの内に含まれる、方法。
【請求項１４】
熱移動システムであって、流体連通するコンプレッサ、凝縮器、および蒸発器を含み、前記システム内に熱移動組成物を含み、前記熱移動組成物は、（ａ）約３５重量％から約５５重量％のＨＦＣ−１３４ａと；（ｂ）約３０重量％から約６０重量％のＨＦＯ−１２３４ｚｅと、ここで前記ＨＦＯ−１２３４ｚｅはトランスＨＦＯ−１２３４ｚｅからなる；（ｃ）約０重量％から約３０重量％のＨＦＯ−１２３４ｙｆと；から本質的になる冷媒を含み、前記組成物中のＨＦＯ−１２３４ｚｅおよびＨＦＯ−１２３４ｙｆの合計の量が少なくとも約３５重量％であり、前記組成物の総ＧＷＰがＨＦＣ−１３４ａのＧＷＰが１４３０であるとき約７００以下であり、前記組成物がANSI/ASHRI Addendaを含むASHRAE Standard 34-2007により決定されるクラスＡ１組成物であり、前記重量パーセントは前記組成物の成分（ａ）−（ｃ）の合計に基づく、熱移動システム。
【請求項１５】
請求項１４に記載の熱移動システムであって、前記熱移動組成物は（ａ）約３５重量％から約５５重量％のＨＦＣ−１３４ａと；（ｂ）約３０重量％から約６０重量％のＨＦＯ−１２３４ｚｅと；（ｃ）約５重量％から約３０重量％のＨＦＯ−１２３４ｙｆと；を含み、前記重量パーセントは、前記組成物の成分（ａ）−（ｃ）の合計に基づく、熱移動システム。
【請求項１６】
請求項１４に記載の熱移動システムであって、前記熱移動システムが、定置空気調整器、自動車用空気調整器、家庭用冷蔵庫／冷凍庫、チラー、および自動販売機からなる群から選択される少なくとも１つの内に含まれる、熱移動システム。
【請求項１７】
約２０℃から約６５℃の外部周囲動作温度を備える請求項１４に記載の熱移動システム。
【請求項１８】
約−３０℃から約５℃の冷却される周囲動作温度を備える請求項１４に記載の熱移動システム。
【請求項１９】
約−１８℃から約７℃の蒸発温度を備える請求項１４に記載の熱移動システム。
【請求項２０】
請求項１に記載の熱移動組成物であって、（ａ）約４２重量％のＨＦＣ−１３４ａと；（ｂ）約５８重量％のＨＦＯ−１２３４ｚｅとを含み、前記重量パーセントは、前記組成物の成分（ａ）−（ｂ）の合計に基づく、組成物。
【請求項２１】
請求項１に記載の熱移動組成物であって、約６０４以下の総ＧＷＰを有する組成物。
【請求項２２】
請求項１に記載の熱移動組成物であって、約６００以下の総ＧＷＰを有する組成物。
【請求項２３】
チラーシステムを含む請求項６に記載の冷却システム。
【請求項２４】
遠心チラーシステムを含む請求項６に記載の冷却システム。
【請求項２５】
商業的な冷却システムを含む請求項６に記載の冷却システム。
【請求項２６】
前記システムがチラーシステムを含む請求項１１に記載の方法。
【請求項２７】
前記システムが遠心チラーシステムを含む請求項１１に記載の方法。
【請求項２８】
前記システムが商業的な冷却システムを含む請求項１１に記載の方法。
【請求項２９】
チラーシステムを含む請求項１４に記載の熱移動システム。
【請求項３０】
遠心チラーシステムを含む請求項１４に記載の熱移動システム。
【請求項３１】
商業的な冷却システムを含む請求項１４に記載の熱移動システム。
【誤訳訂正２】
【訂正対象書類名】明細書
【訂正対象項目名】全文
【訂正方法】変更
【訂正の内容】
【発明の詳細な説明】
【発明の名称】冷却のための組成物および方法
【技術分野】
【０００１】
本願は、２００９年９月９日に出願された米国仮出願第６１／２４０７８６号明細書、および２００９年１０月１日に出願された米国仮出願６１／２４７８１６号明細書、および２００９年７月２９日に出願された米国部分継続出願第１２／５１１９５４号明細書に関連し、これらの利益を主張する。これらの出願の全体は参照により本明細書に組み込まれる。
【０００２】
本発明は、家庭用の小さな冷却用途および／または空気調整用途および／または熱ポンプ用途を含む多くの用途に有用性のある組成物、方法、システムに関し、また、特に、加熱および／または冷却用途に関し冷媒ＨＦＣ-１３４ａの代替のための冷媒の組成物に
関し、また、ＨＦＣ−１３４ａの使用のために設計されたしシステムを含む改良された冷却システムおよび／または調整システムに関する。
【背景技術】
【０００３】
機械的な冷却システム、および冷媒液体を使用する熱ポンプおよびエアーコンディショナのような関連する熱移動装置は、工業的、商業的、および家庭的な使用に関して当業界で知られている。フルオロカーボンベースの流体は、多くの住宅、商業、工業の用途で広く使用されてきており、空調、熱ポンプ、および冷却システムのようなシステムにおける作動流体としての使用を含み、また、家庭用の冷蔵庫、冷凍庫、および自動車のエアーコンディショナでの使用のような相対的に小さなシステムでの使用を含む。これまで使用されてきたこれらの用途のいくつかの組成物の使用に関連する、比較的に高い地球温暖化係数を含むある種の環境問題への懸念により、ハイドロフルオロカーボン（ＨＦＣｓ）のようなオゾンをあまりまたは全く破壊しない流体の使用がますます望まれるようになってきている。たとえば、地球環境を保護するために、多くの政府が京都議定書に調印しており、ＣＯ２排出（地球温暖化）の減少を掲げている。したがって、ある種の高い温暖化作用のあるＨＦＣｓの代替となる低可燃性または非可燃性の非毒性の代替物への需要がある。
【０００４】
１つの重要なタイプの冷却システムは、「小型冷却」システムまたは「家庭用冷却」システムとして知られており、これらは、典型的には住宅、アパート等で使用され、冷蔵庫、冷凍庫などで消費者に使用される。また、これらの群にしばしば含まれるのは、自動販売機等である。他の重要な冷却システムは自動車の空気調整システムを含む。そのような冷却システムにおいて、一般に使用される冷媒液体は、ＨＦＣ１３４−ａであり、また、Ｒ−１３４ａとしても知られている。
【発明の概要】
【発明が解決しようとする課題】
【０００５】
これらおよび他の用途でこれまで使用されてきた組成物への魅力的な代替物となる、新しいフルオロカーボンおよびハイドロフルオロカーボンの化合物および組成物への需要が増加してきている。たとえば、塩素含有冷媒を、ハイドロフルオロカーボン（ＨＦＣｓ）のような、オゾン層を破壊しない非塩素含有冷媒化合物で代替することにより、塩素含有冷却システムを改良することが望まれてきた。一般に、工業、特に熱移動工業は、継続的に、環境に安全と考えら得るＣＦＣｓおよびＨＣＦＣｓの代替物となる新しいフルオロカーボンベースの混合物を探している。しかし、一般に、少なくとも熱移動流体に関して、任意の可能性のある代替物は、特に、優れた熱移動特性、化学的安定性、低毒性または無毒性、非可燃性、および／または潤滑適合性のような、多くの広く使用されている液体の多くに存在するこれらの特性を備えていなければならない。
【０００６】
使用の効率に関して、冷媒の熱力学性能の損失、またはエネルギー効率の損失は、電気エネルギーの需要の増加から化石燃料の使用の増加を通して、二次的に環境へ影響を与え得る。
【０００７】
さらに、一般に、望ましいＣＦＣ冷媒の代替物は、現在、ＣＦＣ冷媒と使用される従来の蒸気圧縮技術への大きな技術変更なしで効率的であると考えられる。
可燃性は、多くの用途にとって他の重要な特徴である。すなわち、多くの用途、特に、熱移動用途では、非可燃性の組成物の使用は重要または必須でると考えられる。本明細書で使用される「非可燃性」との語は、ANSI/ASHRI Addendaを含むASHRAE Standard 34-2007により決定されるクラス１の化合物または組成物である。これらは、参照により本明
細書に組み込まれる。しかし、他の点で冷媒として望ましい多くのＨＦＣｓは、非可燃性ではなく、および／またはクラス１ではない。たとえば、フルオロアルカンのジフルオロエタン（ＨＦＣ−１５２ａ）およびフルオロアルケンの１，１，１−トリフルオロプロペン（ＨＦＯ−１２４３ｚｆ）は、それぞれ可燃性であり、それゆえ多くの用途にとって現実的ではない。
【０００８】
出願人は、組成物、システム、および方法への需要、特に蒸気圧縮加熱または冷却システムおよび方法において非常に有利な熱移動組成物への需要を認識し、特に、これまでＨＦＣ−１３４ａとともに使用され、またはそれ用に設計されてきたタイプの冷却システムおよび熱ポンプシステムへの需要を認識した。
【課題を解決するための手段】
【０００９】
出願人は、ＨＦＣ−１３４ａ、および、ＨＦＯ−１２３４ｚｅおよびＨＦＯ−１２３４ｙｆからなる群から選択される少なくとも１つのフッ素化オレフィンを有する、複数成分混合物を備える組成物、方法、およびシステムにより上述のニーズおよび他のニーズを満たすことができることを発見した。
【００１０】
好ましい実施形態において、本発明の組成物は、（ａ）約３０重量％から約６５重量％のＨＦＣ−１３４ａ；（ｂ）約０重量％から約７０重量％のＨＦＯ−１２３４ｚｅ、好ましくは、トランスＨＦＯ−１２３４ｚｅ；（ｃ）約０重量％から約７０重量％のＨＦＯ−１２３４ｙｆ；を有し、組成物中のＨＦＯ−１２３４ｚｅとＨＦＯ−１２３４ｙｆとの合計が少なくとも約３５重量％であり、重量パーセントは、組成物中の成分（ａ）−（ｃ）の合計に基づく。出願人は、特に本明細書で特定される好ましい範囲内の本発明の組成物の成分の組み合わせが、１つの成分だけでは達成できない冷媒の性能特性を達成するために、重要であり困難な性能の組み合わせを達成できることを予期せずに発見した。たとえば、本発明の好ましい組成物は、可燃性に関してクラス１であり、また、望ましい低ＧＷＰを備える。
【００１１】
ＨＦＣ−１３４の量が上述の好ましい範囲よりも大きい場合、たとえば、組成物は、多くの用途にとっての環境要求を満たさないであろう。一方、フッ素化オレフィンが上述の範囲よりも大きく使用される場合、組成物はクラス１ではなく、および／または、能力および／または効率の点から許容できる性能ではないであろう。
【００１２】
いくつかの好ましい実施形態において、組成物は、複数成分の混合物を有し、混合物は、（ａ）約３５重量％から約５５重量％のＨＦＣ−１３４ａ；（ｂ）約３０重量％から約６０重量％のＨＦＯ−１２３４ｚｅ、好ましくはトランス−ＨＦＯ−１２３４ｚｅ；（ｃ）約５重量％から約３０重量％のＨＦＯ−１２３４ｙｆ；を有し、重量パーセントは、組成物中の成分（ａ）−（ｃ）の合計に基づく。
【００１３】
いくつかの好ましい実施形態において、特に、冷媒としてＨＦＣ−１３４ａがこれまで使用されてきたシステムに使用されるものに関連して、本組成物は、複数成分混合物を有し、この混合物は、（ａ）約３５重量％から約５０重量％のＨＦＣ−１３４ａ；（ｂ）約３０重量％から約５５重量％のＨＦＯ−１２３４ｚｅ、好ましくはトランス−ＨＦＯ−１２３４ｚｅ；（ｃ）約５重量％から約２５重量％のＨＦＯ−１２３４ｙｆ；を有し、重量パーセントは、組成物中の成分（ａ）−（ｃ）の合計に基づく。より好ましい実施形態において、組成物は複数成分混合物を有し、この組成物は、（ａ）約４０重量％から約４５重量％のＨＦＣ−１３４ａ；（ｂ）約３５重量％から約５０重量％のＨＦＯ−１２３４ｚｅ、好ましくはトランス−ＨＦＯ−１２３４ｚｅ；（ｃ）約１０重量％から約２０重量％のＨＦＯ−１２３４ｙｆ；を有し、重量パーセントは、組成物中の成分（ａ）−（ｃ）の合計に基づく。出願人は、そのような好ましい組成物は、これらが低ＧＷＰでありクラス１の組成物であるだけでなく、ＨＦＣ−１３４ａのエネルギー消費に等しいまたはより優れた多くの冷却用途のエネルギー消費特性を備えることができる。これらは、好ましくは、American National Standard 「Energy Performance and Capacity of Household Refrigerators, Refrigerator-Freezers and Freezers (ANSI/AHAMHRF-1-2007)」により測定され、これは参照により本明細書に組み込まれる。
【００１４】
いくつかの好ましい実施形態において、本組成物は、好ましくは、組成物の約５重量％までの量のＨＦＯ−１２３３を含む。
また、本発明は、本発明の組成物を使用する方法およびシステムを提供し、熱移動のための方法およびシステムを含み、また、現存する熱移動システムの改良を提供する。本発明のいくつかの好ましい方法の側面は、小型の冷却システム内の冷却を提供する方法に関する。本発明の他の方法の側面は、Ｒ−１３４ａを含むように設計された現存する小型の冷却システムを改良する方法を提供し、現存する冷却システムを実質的に技術変更することなく、本発明の組成物をシステム内に導入することを含む。
【００１５】
本明細書で用いられる用語「ＨＦＯ−１２３４」は、テトラフルオロプロペンを指す。テトラフルオロプロペンには、１，１，１，２−テトラフルオロプロペン（ＨＦＯ−１２３４ｙｆ）、シス型およびトランス型の１，１，１，３−テトラフルオロプロペン（ＨＦＯ−１２３４ｚｅ）の両方が含まれる。用語ＨＦＯ−１２３４ｚｅは、本明細書において、シス型またはトランス型に関わらず、包括的に１，１，１，３−テトラフルオロプロペンを指す。用語「ｃｉｓＨＦＯ−１２３４ｚｅ」および「ｔｒａｎｓＨＦＯ−１２３４ｚｅ」は、本明細書において、１，１，１，３−テトラフルオロプロペンのそれぞれシス型およびトランス型を指す。それゆえ本明細書では、用語「ＨＦＯ−１２３４ｚｅ」は、ｃｉｓＨＦＯ−１２３４ｚｅ、ｔｒａｎｓＨＦＯ−１２３４ｚｅ、およびこれらのあらゆる組み合わせ、混合をその範囲として含む。
【００１６】
本明細書において、「ＨＦＯ−１２３３」との語は、あらゆるトリフルオロモノクロロプロペンを指すものとして用いられている。トリフルオロモノクロロプロペンは、１，１，１，トリフルオロ−２，クロロ−プロペン（ＨＦＣＯ−１２３３ｘｆ）、シス型およびトラス型の両方の１，１，１−トリフルオ−３，クロロプロペン（ＨＦＣＯ−１２３３ｚｄ）を含む。ＨＦＣＯ−１２３３ｚｄとの語は、ここでは、シス型またはトランス型に関わらずに１，１，１−トリフルオ−３，クロロプロペン全般を指すために用いられている。「シスＨＦＣＯ−１２３３ｚｄ」および「トランスＨＦＣＯ−１２３３ｚｄ」との語は、それぞれシス型およびトランス型の１，１，１−トリフルオ３−クロロプロペンを指す。「ＨＦＣＯ−１２３３ｚｄ」との語は、シスＨＦＣＯ−１２３３ｚｄ、トランスＨＦＣＯ−１２３３ｚｄ、およびこれらのあらゆる組み合わせおよび混合物を含む。
【００１７】
「ＨＦＣ−１３４ａ」との語は、１，１，１，２−テトラフルオロエタンを指すために使用される。
【図面の簡単な説明】
【００１８】
【図１】単純な蒸気圧縮熱移動サイクルの概略図である。
【図２】液体ライン／吸引ライン熱交換器を備える蒸気圧縮熱移動サイクルの概略図である。
【発明を実施するための形態】
【００１９】
上述のように、小型の冷却システムは多くの用途において重要である。そのようなシステムにおいて広く用いられてきた冷媒の１つはＨＦＣ−１３４ａであり、これは、１４３０の高い地球温暖化係数（Global Warming potential, ＧＷＰ）であると考えられてきた。出願人は、本発明の組成物は、そのような用途での冷媒、特にＨＦＣ−１３４ａへの代替および／または置き換えへの需要を格別におよび意外な方法で満足させることを発見した。好ましい組成物は、同時に低ＧＷＰ値を備え、また、そのようなシステムにおけるＨＦＣ−１３４ａの冷却能力に匹敵する非可燃性、非毒性の流体を提供する。
【００２０】
ある好ましい形態において、本発明の組成物は、約１０００を超えない地球温暖化係数（ＧＷＰ）を備え、より好ましくは、約７００を超えず、さらに好ましくは約６００かそれより小さい。ここで使用される「ＧＷＰ」は、１００年間にわたる二酸化炭素に対して測定され、「The Scientific Assessment of Ozone Depletion, 2002, a report of the World Meteorological Association’s Global Ozone Research and Monitoring Project」において定義され、かかる文献は参照により本明細書に組み込まれる。
【００２１】
ある好ましい形態において、本発明の組成物は、好ましくは、０．０５を超えないオゾン破壊係数（Ozone Depletion Potential, ＯＤＰ） を備え、より好ましくは０．０２を超えず、さらに好ましくはほぼゼロである。ここで使用される「ＯＤＰ」は、「The Scientific Assessment of Ozone Depletion, 2002, a report of the World Meteorological
Association’s Global Ozone Research and Monitoring Project」において定義され、かかる文献は参照により本明細書に組み込まれる。
【００２２】
熱移動組成物
本発明の組成物は、一般に、熱移動用途での使用に適合的であり、すなわち、加熱および／または冷却媒体として適合的である。これらは、特に、上述のように、これまでＨＦＣ−１３４ａを使用していた小型の冷却システムに特に適合的である。
【００２３】
出願人は、本明細書で説明される広いまた好ましい範囲内で本発明の組成物を使用することは、特に、好ましいシステムおよび方法において達成困難な本発明の組成物により示される特性の組み合わせにとって重要であり、および、実質的に特定される範囲外でのこれらの同一の成分の使用は、本発明の組成物の重要な特性の１つまたはいくつかに有害な影響を与え得ることを発見した。非常に好ましい実施形態において、非常に好ましい特性の組み合わせは、約０．６：１から１：０．９の重量比を備える、ＨＦＣ−１３４ａ：ＨＦＣ−１２３４ｚｅ、より好ましくはトランスＨＦＣ−１２３４ｚｅの組成物で達成され、ある好ましい実施形態においては、約０．６５：１から約１：１である。また、出願人は、非常に好ましい特性の組み合わせは、約６：１から約３：１の重量比のＨＦＯ−１２３４ｚｅ：ＨＦＯ−１２３４ｙｆの組成物で達成され、ある好ましい実施形態においては、約５：１から約４：１である。
【００２４】
便宜的に、ＨＦＯ−１２３４ｚｅとＨＦＯ−１２３４ｙｆとの組み合わせを「テトラフルオロプロペン成分（tetrafluoropropene component）」または「ＴＦＣ」と記載し、いくつかの実施形態では非常に好ましい特性の組み合わせは、ＨＦＣ−１３４：ＴＦＣの重量比が約０．６：１から約１：０．９の組成物で達成することができ、いくつかの実施形
態では、約０．６５：１から約１：１の重量比が好ましい。
【００２５】
ＨＦＯ−１２３４ｚｅの異性体は、本発明のある側面において有効に用いることができると考えられるが、出願人は、いくつかの実施形態において、ＨＦＯ−１２３４ｚｅは、トランスＨＦＯ−１２３４ｚｅを備えることが好ましく、また、トランスＨＦＯ−１２３４ｚｅが主要な比率を備えることが好ましく、また、ある実施形態においては、本質的にトランスＨＦＯ−１２３４ｚｅからなることが好ましいことを発見した。
【００２６】
上述のように、出願人は、本発明の組成物が、困難な特性、特に低ＧＷＰ、の組み合わせを達成できることを発見した。非限定的な例として、以下の表Ａは、本発明のある組成物の実質的に改良されたＧＷＰを示し、１４３０のＧＷＰであるＨＦＣ−１３４ａのＧＷＰと比較して示している。
【００２７】
【表Ａ】
2013530265.tif 000001
【００２８】
本発明の組成物は、組成物に特定の機能性を増強または提供する目的で、あるいは、いくつかの場合、組成物のコストを小さくするために、他の成分を含むようにしてもよい。たとえば、本組成物は、共同冷媒、潤滑剤、安定化剤、金属不動態化剤、腐食抑制剤、燃焼抑制剤、および他の化合物／組成物を含んでもよく、これらの化合物および成分は、本発明の範囲内にある。
【００２９】
いくつかの実施形態において、本発明による冷媒組成物は、特に蒸気圧縮システムにおいて使用される組成物は、一般に組成物の約３０重量パーセントから約５０重量パーセントの量の潤滑剤を含み、また、いくつかの場合、約５０パーセントより大きい量となることもあり、また、ある場合においては、約５パーセント程度の小さい量となる。さらに、本組成物は、潤滑剤の融和性および／または溶解性を助ける目的で、プロパンのような融和剤を含むようにすることができる。プロパン、ブタン、ペンタンを含むそのような融和剤は、好ましくは、組成物の約０．５重量パーセントから約５重量パーセント存在する。オイル溶解性を助けるために、米国特許第６５１６８３７号明細書に開示されているように、本組成物に界面活性剤および溶解剤の組み合わせを追加してもよい。本米国特許文献は、参照により本明細書に組み込まれる。ハイドロフルオロカーボン（ＨＦＣ）冷媒とともに冷却機械類で使用される、ポリオールエステル（Polyol Esters, ＰＯＥｓ）お
よびポリアルキレングリコール（Poly Alkylene Glycols, ＰＡＧｓ）、ＰＡＧオイル、
シリコンオイル、ミネラルオイル、アルキルベンゼン（ＡＢｓ）、ポリ（アルファ−オレフィン）（ＰＡＯ）などの一般に用いられる冷却潤滑剤を、本発明の冷媒組成物とともに使用することができる。市販されているミネラルオイルは、WitcoのWitco LP 250（登録商標）、Shrieve ChemicalのZerol 300（登録商標）、WitcoのSunisco 3GS、およびCalumetのCalumet R015を含む。市販のアルカリベンゼン潤滑剤は、Zerol 150 （登録商標）を含む。市販のエステルは、ネオペンチルグリコールジペラルゴネートを含み、これは、Emery 2917（登録商標）およびHatcol 2370（登録商標）として入手できる。他の有効なエステルは、リン酸エステル、二塩基酸エステル、およびフルオロエステルを含む。いくつかの場合、ハイドロカーボンベースのオイルは、冷媒に十分な溶解性を備え、これはヨードカーボンを有し、ヨードカーボンおよびハイドロカーボンの組み合わせのオイルは、他のタイプの潤滑剤よりも安定である。それゆえ、そのような組み合わせは有効である。好ましい潤滑剤は、ポリアルキレングリコールおよびエステルを含む。ポリアルキレングリコールは、自動車用空調装置のような用途に現在使用されているので、いくつかの実施形態で非常に好ましい。もちろん、潤滑剤の異なるタイプの異なる組み合わせを用いることもできる。
【００３０】
いくつかの好ましい実施形態において、本組成物は、上述の成分に加えて、以下の共同冷媒の１つまたは複数を含む。
トリクロロフルオロメタン（ＣＦＣ−１１）
ジクロロジフルオロメタン（ＣＦＣ−１２）
ジフルオロメタン（ＨＦＣ−３２）
ペンタフルオロエタン（ＨＦＣ−１２５）
１，１，２，２−テトラフルオロエタン（ＨＦＣ−１３４）
ジフルオロエタン（ＨＦＣ−１５２ａ）
１，１，１，２，３，３−ヘプタフルオロプロパン（ＨＦＣ−２２７ｅａ）
１，１，１，３，３，３−ヘクサフルオロプロパン（ＨＦＣ−２３６ｆａ）
１，１，１，３，３−ペンタフルオロプロパン（ＨＦＣ−２４５ｆａ）
１，１，１，３，３−ペンタフルオロブタン（ＨＦＣ−３６５ｍｆｃ）
水
二酸化炭素
もちろん、上述の例の任意のものに追加して、またはこれらに代えて他の共冷媒を使用してもよい。
【００３１】
熱移動方法およびシステム
好ましい熱移動方法は、全体として、本発明の組成物を提供すること、顕熱移動、相変化熱移動、またはこれらの組み合わせにより、熱を組成物へまたは組成物から移動させること、を含む。たとえば、いくつかの好ましい実施形態において、本方法は、冷却システムを提供し、これは、本発明の冷媒を含み、また、本発明の組成物を凝縮および／または蒸発させることにより加熱または冷却を生じさせる方法を含む。いくつかの好ましい実施形態において、加熱および／または冷却のためのシステムおよび方法は、直接的または間接的に他の流体または本体を冷却することを含み、本発明の冷媒組成物を圧縮することを含み、その後、冷却される物の近傍で冷媒組成物を蒸発させることを含む。本明細書で用いられる「本体」との語は、無生物物体だけでなく生体組織も含むことを意図しており、一般に動物の組織および人間の組織を含む。たとえば、本発明のいくつかの側面は、鎮痛技術、予備麻酔、または処置される身体の温度を低下させることを含む治療の一部のような１つまたはそれ以上の治療目的で、本組成物を人間の組織に適用することを含む。いくつかの実施形態において、本体への応用は、本組成物を圧力下で液体の状態で、好ましくは一方向排出バルブおよび／またはノズルを備える圧力下の容器内に提供すること、および、本体へ組成物をスプレーまたは他の方法で付与することにより、圧力下の容器から液体を解放すること、を含む。液体がスプレーされた表面から蒸発するときに、表面は冷却される。
【００３２】
液体または本体を加熱するいくつかの好ましい方法は、本発明の組成物を含む冷媒組成物を、加熱される液体または本体の近傍で凝縮させ、その後、冷媒組成物を蒸発させることを含む。本明細書の開示に照らし、当業者は、過度の実験なしに、本発明による物の加熱および冷却を容易に実行できるであろう。
【００３３】
いくつかの実施形態において、本発明は、流体または本体から熱を吸収することにより冷却を提供し、好ましくは、本組成物を有する蒸気を生成するために、本冷媒冷媒組成物を冷却される本体または流体の付近で蒸発させることにより冷却を提供する。本発明のいくつかの好ましい方法およびシステムの側面は、図１に示される単純化された流れダイアグラムに関して説明することができる。そのような好ましい方法／システムにおいて、冷却システム／方法は、本発明の冷媒を、好ましくは吸引ライン１を通して導入することを含み、通常はコンプレッサまたは類似の装置で冷媒蒸気を圧縮し、排出ライン２において比較的に高い圧力で本組成物の蒸気を生成する。一般に、蒸気を圧縮するステップにより蒸気へ追加の熱を生じさせ、比較的に高い圧力の蒸気の温度の上昇を生じさせる。好ましくは、そのような実施形態において、本方法は、この比較的に高い温度、高い圧力の蒸気から、蒸気化ステップおよび／または圧縮ステップにより追加された熱の少なくとも一部を除去することを含む。この熱除去のステップは、好ましくは、高温度、高圧力の蒸気を、好ましくは、コンプレッサ排出ライン２を通してコンデンサ内で凝縮させることを含み、蒸気が比較的に高い圧力の条件で、本発明の組成物を有する比較的に高い圧力の液体を生成させる。この比較的に高い圧力の液体は、好ましくは、圧力下で名目的に等エンタルピー変化を受け、比較的に低い温度、低い圧力の液体を生成させる。図１に示される実施形態において、これは、コンデンサ排出ライン３を通して膨張バルブのような膨張器内へ液体を導くことにより達成される。そのような実施形態において、それは、冷却される本体または液体からの熱の移動により後に蒸気化される減少された圧力／温度の冷媒液体である。たとえば、図１に示される実施形態において、膨張器からの低温度、低圧力の液体は、排出ライン４を通って蒸発器へ導入され、熱は、冷却される本体または液体から冷媒流体へ移動される。その後、蒸発器からの排出物がコンプレッサ内に再び導入されるので、このサイクルは繰り返される。
【００３４】
本発明の他の好ましい実施形態は、図１に関して説明したシステム／方法の基本的なタイプの変形例を含む。そのような好ましい実施形態は、吸引ライン／液体ライン熱交換器として一般に知られ、また、「ＳＬ−ＬＬ熱交換機」として知られる、追加の熱交換ユニットを含む。そのような構成を使用する方法／システムを概略的に説明する単純化されたフローダイアグラムが図２に示されている。そのような好ましいシステム／方法は、上述したものと実質的に同一のコンポーネントを使用して動作する。ただし、例外として、蒸発器とコンプレッサとの間に追加の熱交換器ユニットがシステム内に含まれ、それにより、たとえば排出ライン３内の凝縮器から排出される液体の少なくとも一部は、蒸発器から排出物の少なくとも一部から熱を吸収することでさらに冷却されるように誘導される。出願人は、本発明の組成物は、ＳＬ−ＬＬ熱交換機を含む熱移動システムで使用される場合に、予想外に有利であり、また、驚くべき利点をもたらすことを発見した。いくつかの実施形態において、そのような効果および利点は、改良されたシステム能力および効率に関して生じ、コンプレッサの排出温度を有利に低下させる。
【００３５】
本発明の他のプロセスの実施形態において、本発明の組成物は、熱を生成するための方法において使用することができ、これは、本組成物を有する冷媒を加熱される液体または本体の近くで凝縮させることを含む。そのような方法は、前述したように、しばしば上述した冷却サイクルの逆サイクルである。そのような実施形態の一例は、熱ポンプとして知られるいくつかのタイプの装置を加熱および／または冷却するのに用いることができる。そのような装置は、多くのタイプの液体または他の材料を加熱および／または冷却するのに用いることができ、また用いられてきているが、いくつかの好ましい実施形態において、本発明の熱ポンプは、水、および好ましくは家庭用水を加熱および／または冷却するのに用いられる。
【００３６】
本方法、システム、および組成物は、一般に、空気調整（定置空調システムおよび自動車用空調システムの両者を含む）、冷却、熱ポンプシステム等のような、幅広い熱移動システムおよび特に冷却システムに関して使用するように適合可能である。いくつかの好ましい実施形態において、本発明の組成物は、たとえばＲ−１３４ａのようなＨＦＣ冷媒とともに使用するように設計された冷却システムにおいて使用される。本発明の好ましい組成物は、Ｒ−１３４ａの望ましい特性の多くを備える傾向にあり、Ｒ−１３４ａよりも実質的に低いＧＷＰを備え、また同時に、Ｒ−１３４ａと同程度に匹敵するまたは望ましくはそれ以上の実質的に類似の能力を備える。出願人は、本組成物のいくつかの好ましい実施形態は、比較的に低い地球温暖化係数（ＧＷＰ）を備える傾向にあることを発見し、ＧＷＰは、好ましくは約１５００未満、より好ましくは約１０００未満、さらに好ましくは約６５０未満である。
【００３７】
他のいくつかの好ましい実施形態において、本組成物は、当初Ｒ−１３４ａとともに使用されるように設計された冷却システムにおいて使用することができる。出願人は、本発明のシステムおよび方法において、多くの重要な冷却システム性能のパラメータが、比較的にＲ−１３４ａのパラメータに近く、また、いくつかの重要な場合はこれより予期せず優れていることを発見した。多くの現存する冷却システムは、Ｒ−１３４ａのために、またはＲ−１３４ａに類似の特性を備える他の冷媒のために設計されており、当業者は、システムに対する比較的に少ない修正で、Ｒ−１３４ａ等の冷媒の代替物として使用できる、低いＧＷＰおよび／または低オゾン破壊冷媒の実質的な利点を認識するであろう。本発明のいくつかの実施形態において改良方法が提供され、これは、システムの実質的な修正無く、現存するシステム内の熱移動流体（冷媒など）を本発明の組成物に交換することを含む。いくつかの好ましい実施形態において、この交換ステップは、本発明の組成物を熱移動流体とするために、システムの実質的な再設計の無いドロップイン交換であり、主要な装備品を交換する必要がない。
【００３８】
いくつかの好ましい実施形態において、本方法は、ドロップイン交換を有し、ここで、システムのエネルギー使用量は、ＨＦＣ−１３４ａを用いる同一のシステムの場合よりも少なくとも約１％少なく、より好ましくは少なくとも約２％少ない。
【００３９】
本発明の好ましい冷却組成物は、従来のＲ−１３４ａに用いられる、ミネラルオイル、ポリアルキルベンゼン、ポリアルキレングリコールオイル等のような潤滑剤を含む冷却システムにおいて使用することができ、または、ＨＦＣ冷媒に従来用いられてきた他の潤滑剤を使用することができる。ここで用いられる、「冷却システム」との語は、広く、冷却を提供する冷媒を使用するあらゆるシステムまたは装置、あるいはそのようなシステムまたは装置の一部を指す。そのような冷却システムは、たとえば、空気調整器、電気冷蔵庫、チラー（遠心コンプレッサを使用するチラーを含む）等を含む。
【００４０】
上述のように、本発明の組成物、システム、および方法は、一般に、あらゆるタイプおよび種類の熱交換装置に関して使用するように適合可能であり、そのような組成物、方法、およびシステムは本発明の範囲内にある。しかし、いくつかの好ましい実施形態において、本組成物は、しばしば「小型冷却システム」と称されるいくつかの蒸気圧縮熱交換システムでの使用に特に有利である。本開示の目的のために、そのような「小型冷却システム」は、１つまたはそれ以上のコンプレッサを用い、また、約２０℃から約６５℃の範囲の外部周囲温度において動作する蒸気圧縮冷却システムを指す。そのようなシステムの好ましい実施形態において、本システムは、約−３０℃から約５℃の冷却される周囲温度を備える。
【００４１】
実施例
以下の例は、本発明を限定することなく説明する目的で提供される。
例１−小型冷却システム
エネルギー消費（ＥＣ）は、小型冷却システムの冷却性能の許容される測定である。ＥＣ
は、所定の時間期間にわたり特定の動作条件でシステムにより消費されるエネルギーの量を示す。特定の動作条件で冷媒のＥＣを見積もる１つの手段は、上述のANSI/AHAM HRF-1-2007 Standardから得られ、これは参照により本明細書に組み込まれる。
【００４２】
小型冷却システムが提供される。そのようなシステムの例は、本例に示される家庭用冷蔵庫を含む。ドア外の周囲温度は約３２．２℃（＋／−１℃）である。冷凍庫温度は約−１７℃である。試験手順は以下の通りである。
・冷蔵庫全体は、試験前に少なくとも２４時間で３２．２℃の平衡温度になるようにされる。
・冷蔵庫のドアが閉じられ、システムが開始される。
・少なくとも４８時間の間データが収集され、これは、所望の冷凍温度が到達されるまでの「プルダウン」期間として知られる。また、この４８時間は冷却システムが循環する間の期間をカバーする。
・電力消費、冷凍庫およびキャビネット（生鮮食品区画）の温度も、外部周囲温度とともに記録される。
いくつかの動作パラメータは、この試験に関して上記の表Ａに示される組成物Ａ１−Ａ２のために決定され、これらの動作パラメータは、１００％のエネルギー消費値を備えるＨＦＣ−１３４ａに基づいて、以下の表１に示される。
【００４３】
【表１】
2013530265.tif 000002
【００４４】
上記の表１から見てとれるように、出願人は、本発明の組成物が、Ｒ−１３４ａのパラメータに近い重要な冷却システム性能のパラメータの多くを同時に達成できることを発見し、また、特に、組成物を小型冷却システムにおけるＲ−１３４ａのドロップイン交換として使用できる程度に十分に近く、および／またはそのような現存するシステムにわずかな修正のみで使用できる程度に十分に近い。たとえば、組成物Ａ２は、このシステムのＲ−１３４ａのＥＣよりも約２％低いＥＣを示し、これは、エネルギー消費の非常に有意な改良である。そのようなＥＣの減少は、広く使用されているので、家庭用冷蔵庫、自動販売機、および自動車用空調装置にとって環境的に有意である。さらに、組成物Ａ１およびＡ２は、それぞれクラス１の組成物であり、それゆえ、非可燃性の観点から非常に望ましい。
【００４５】
例２−空気調整器
成績係数（coefficient performance, ＣＯＰ）は、一般に受け入れられている、冷却性
能の測定であり、特に、冷媒の蒸発または凝縮を含む特定の加熱サイクルまたは冷却サイクルにおける冷却の相対的な熱力学効率を表すのに有用である。冷却工学において、この用語は、蒸気を圧縮する際にコンプレッサにより付与されるエネルギーに対する有効な冷却の比を表す。冷媒の能力は、冷媒が提供する冷却または加熱の量を示し、また、冷媒の所与の体積流量での熱のポンプ量に対するコンプレッサの能力のいくつかの測定値を提供する。換言すれば、特定のコンプレッサが与えられると、より高い能力を備える
冷媒は、より多くの冷却または加熱のパワーを届ける。特定の動作条件で冷却機のＣＯＰを見積もる一つの手段は、標準的な冷却サイクル解析技術を用いる冷却機の熱力学特性から得られる（たとえば、R.C. Dowing, FLUOROCARBON REFRIGERANTS HANDBOOK, Chapter
3, Prentice-Hall, 1988を参照されたい）。
【００４６】
空調サイクルシステムが提供され、ここで、７０％未満の等エントロピー圧縮効率および１００％の体積効率の下で、凝縮温度は約４５℃であり、蒸発温度は約７℃であり。過熱の程度は、約５℃であり、予冷却の程度は約５℃である。ＣＯＰは、１００％のＣＯＰ値、１００％の能力値、およびＲ１３４ａと比較した相対排出温度を備えるＨＦＣ−１３４ａに基づいて、本発明の以下の表２に示される組成物Ａ１−Ａ３について決定される。
【００４７】
【表２】
2013530265.tif 000003
【００４８】
例３−  ＨＦＣ−１３４ａ交換−中間温度、自動車空調機、チラーシステムおよび熱ポンプ
この例は、本発明の一実施形態の性能を示し、この実施形態において、冷媒組成物は、表ＡにおいてＡ１−Ａ３として示され、また、４つのシステムにおいてＨＦＣ−１３４ａの代替物として用いられる。第１のシステムは、約−７℃の蒸発温度（ＥＴ）および約５４℃の凝縮温度（ＣＴ）を備えるものである（例３Ａ）。便宜的に、そのような熱移動システム、すなわち約−１８℃から約２℃のＥＴおよび約２７℃から約６６℃のＣＴを備えるシステムは、ここでは「中間温度」のシステムと称される。第２のシステムは、約２℃のＥＴおよび約６６℃のＣＴを備えるものである（例３Ｂ）。便宜的に、そのような熱移動システム、すなわち約１℃から約１６℃の蒸発温度および約３２℃から約９３℃のＣＴを備えるシステムは、ここでは「自動車用ＡＣ」システムと称される。第３のシステムは、約４℃のＥＴおよび約１６℃のＣＴを備えるものである（例３Ｃ）。便宜的に、そのような熱移動システム、すなわち約２℃から約１０℃の蒸発温度および約２７℃から１４９℃のＣＴを備えるシステムは、ここでは「チラー」または「チラーＡＣ」システムと称される。第４のシステムは、約０℃のＥＴ、約５℃のソース温度（ＳＲＴ）、約６０℃のＣＴ、約５５℃のシンク温度（ＳＫＴ）を備えるものである（例３Ｄ）。便宜的に、そのような熱移動システム、すなわち約−５℃から約５℃のＥＴ、約０℃から約１０℃のＳＲＴ、約５０℃から約７０℃のＣＴ、約４５℃から約６５℃のＳＫＴを備えるシステムは、ここでは「家庭水ヒータ熱ポンプ」システムと称される。Ｒ−１３４ａを用いるそのような各々のシステムの動作、および本発明の指定された冷媒組成物は以下の表３Ａ−３Ｄに報告される。
【００４９】
【表３Ａ】
2013530265.tif 000004
【００５０】
上記の表から分かるように、本発明の組成物、特にＡ３は、そのようなシステムにおいてよい能力を備え、またＨＦＣ−１３４ａに匹敵する効率を備える。さらに、過熱のレベルは、ＨＦＣ-１３４ａとほぼ同レベルであり、膨張器の変更が必要ではないことを示している。同様の圧力および質量流れは、同一のコンプレッサの使用を可能にする。より低い排出温度は、ＳＬ−ＬＬ熱交換器の使用を可能にし、これはさらに能力および効率を改善し得る。
【００５１】
【表３Ｂ】
2013530265.tif 000005
【００５２】
上記の表から分かるように、本発明の組成物、特にＡ３は、そのようなシステムにおいて良い能力を備え、またＨＦＣ-１３４ａに匹敵する効率を備える。さらに、過熱のレベル
は、ＨＦＣ−１３４ａとほぼ同じレベルであり、膨張器の変更が必要ないことを示している。同様の圧力および質量流れは、同一のコンプレッサの使用を可能にする。より低い排出温度は、ＳＬ−ＬＬ熱交換器の使用を可能にし、これはさらに能力および効率を改善し得る。
【００５３】
【表３Ｃ】
2013530265.tif 000006
【００５４】
上記の表から分かるように、本発明の組成物、特にＡ３は、そのようなシステムにおいて良い能力を備え、またＨＦＣ-１３４ａに匹敵する効率を備える。さらに、過熱のレベル
は、ＨＦＣ−１３４ａとほぼ同じレベルであり、膨張器の変更が必要ないことを示している。同様の圧力および質量流れは、同一のコンプレッサの使用を可能にする。より低い排出温度は、ＳＬ−ＬＬ熱交換器の使用を可能にし、これはさらに能力および効率を改善し得る。
【００５５】
【表３Ｄ】
2013530265.tif 000007
【００５６】
上記の表は、一般の家庭用のポンプ水加熱システム（ＨＰＷＨ）を示しており、これはこれまで冷媒としてしばしばＲ−１３４ａが使用されてきた。上記の表は、それぞれソース温度と蒸発温度、およびシンク温度と凝縮温度の間に５℃の温度差（ＴＤ）を用いる、典型的なＨＰＷＨの性能を示している。上記の表から分かるように、本発明の組成物、特にＡ３は、そのようなシステムにおいて良い能力を備え、またＨＦＣ-１３４ａに匹敵する効率を備える。さらに、過熱のレベルは、ＨＦＣ−１３４ａとほぼ同じレベルであり、膨張器の変更が必要ないことを示している。同様の圧力および質量流れは、同一のコンプレッサの使用を可能にする。より低い排出温度は、ＳＬ−ＬＬ熱交換器の使用を可能にし、これはさらに能力および効率を改善し得る。
【００５７】
例４−  ＳＬ−ＬＬ熱交換器を使用する方法およびシステム
この例は、本発明の３つの実施形態の性能を示し、ここで冷媒組成物はＡ１、Ａ２、Ａ３として表Ａに示され、３つの冷媒、すなわちＨＦＣ−１３４ａ、ＨＦＯ−１２３４ｆｙ、ＨＦＯ−１２３４ｚｅの使用と比較される。このシステムは、コンプレッサ、蒸発器、凝縮器、等エンタルピー膨張器、および液体ライン／吸引ライン熱交換器を備える蒸気圧縮冷却システムである。このシステムは、約３６３．４リットルの容積の家庭用の冷蔵庫の形態であり、空気冷却凝縮器および強制対流蒸発器を備える。コンプレッサは７．５ｃｃ排気のコンプレッサである。このシステムは、コンプレッサ吸引ラインを備える毛管ＳＬ−ＬＬ熱交換器を使用する。約３２．２℃の周囲温度および約５０％の相対湿度の実質的に安定な動作条件が試験される。冷凍温度は約−１５℃である。コンプレッサ吸引温度は約３２．２℃である。蒸発器の過熱は約５℃であり、凝縮器の予冷却は約２℃である。ＧＷＰ、（ＨＦＣ−１３４ａに対する）能力、（ＨＦＣ−１３４ａに対する）効率、（ＨＦＣ−１３４ａに対する）質量流量、（ＨＦＣ−１３４ａに対する）吸引圧力：排出圧力の比、および（ＨＦＣ−１３４ａに対する）排出温度は、以下の表４に示されるように観察され、報告される。
【００５８】
【表４】
2013530265.tif 000008
【００５９】
上記の表４に基づくと、１２３４ｙｆ単体は、能力および効率に関して相対的にＨＦＣ−１３４ａに近く匹敵し、また、優れたＧＷＰ値を備える。しかし、出願人は、そのようなシステムにおいて、質量流量が実質的に大きく、これは、ＳＬ−ＬＬ熱交換器および／または膨張器および／またはコンプレッサに変更が必要になる可能性を示していることを指摘する。ＨＦＯ−１２３４ｚｅに関して、この流体は、ドロップイン条件で、ＨＦＣ−１３４ａの能力の７０％の能力を与える。これは、システムが約５５％大きな変位を備えるコンプレッサを用いるように修正する必要があることを意味し、また、実質的な質量流量の減少は、毛管熱交換器が必要であるような実質的な修正を意味している。さらに、ＨＦＯ−１２３４ｚｅおよびＨＦＯ−１２３４ｙｆはクラス１の材料ではない。反対に、本発明による組成物Ａ１、Ａ２、Ａ３は、ＨＦＯ−１２３４ｙｆおよびＨＦＯ−１２３４ｚｅを含んでいるけれども、クラス１の材料であり、また、各々は、能力、効率、および質量流量のパラメータにＲ−１３４ａに優れて匹敵する。さらに、本組成物の各々は、低い圧縮比、低い排出温度を提供し、Ｒ１３４ａよりもわずかに高い効率を提供する。
【００６０】
上述の開示から一般的にわかるように、本発明の組成物の重要な冷却システム性能のパラメータは、相対的にＲ−１３４ａのパラメータに近い。多くの現存する冷却システムは、Ｒ−１３４ａ用に、またはＲ−１３４ａに類似の特性の冷媒用に設計されており、当業者は、システムに対して相対的に最小の修正で、または実質的な修正なしに、Ｒ−１３４ａ等の代替物として使用できる低ＧＷＰおよび／または低オゾン破壊係数および／またはクラス１の冷媒の実質的に利点を認識するであろう。本発明のいくつかの実施形態は、改良方法を提供し、これは、システムの実質的な変更なしに、または主要な備品を交換することなく、現存するシステムにおいて冷媒を本発明の組成物に交換することを含む。いくつかの好ましい実施形態において、交換ステップは、本発明の冷媒に適合させるために、システムの実質的な再設計が必要のない、また、装備の主要な備品の交換の必要のない、ドロップイン交換である。